(57)【要約】      （修正有）【課題】記録することが簡単であり、ベンチで記録することにも適し、進化している高校野球などに有用な野球用スコアシート、野球用スコアブックを提供する。【解決手段】１枚の用紙に、打者の打席毎に投手の投球の高低を投球毎に記録する投球高低区別記録欄が設けられ、投球高低区別記録欄は、ストライクゾーンよりも上方の投球を記録する高ボール投球記録段１１と、ストライクゾーンを含む投球を記録するストライクを含む投球記録段１２〜１４と、ストライクゾーンよりも下方の投球を記録する低ボール投球記録段１５と、に上下３段に区分され、前記ストライクを含む投球記録段は、少なくとも、ストライクゾーンの上方部分を含む投球を記録する高ストライクを含む投球記録段１２と、ストライクゾーンの下方部分を含む投球を記録する低ストライクを含む投球記録段１４と、に上下２段に区分されている。投球の高低のみを記録するだけで良いので、記録が簡単である。【選択図】図３
0003206073.tif 000002
【実用新案登録請求の範囲】
【請求項１】
１枚の用紙には、打者の打席毎に投手の投球の高低を投球毎に記録する投球高低区別記録欄が、設けられていて、
前記投球高低区別記録欄は、
ストライクゾーンよりも上方の投球を記録する高ボール投球記録段と、
ストライクゾーンを含む投球を記録するストライク等投球記録段と、
ストライクゾーンよりも下方の投球を記録する低ボール投球記録段と、
に上下３段に区分されていて、
前記ストライク等投球記録段は、少なくとも、
ストライクゾーンの上方部分を含む投球を記録する高ストライク等投球記録段と、
ストライクゾーンの下方部分を含む投球を記録する低ストライク等投球記録段と、
に上下２段に区分されている、
ことを特徴とする野球用スコアシート。
【請求項２】
前記投球高低区別記録欄の左側か右側かいずれか一方には、投球の高低を表わす文字や記号等が付されている投球高低表示文字欄が、設けられていて、
前記投球高低表示文字欄は、少なくとも、
ストライクゾーンよりも上方の投球を表わす文字や記号等が付されている段と、
ストライクゾーンの上方部分を含む投球を表わす文字や記号等が付されている段と、
ストライクゾーンの下方部分を含む投球を表わす文字や記号等が付されている段と、
ストライクゾーンよりも下方の投球を表わす文字や記号等が付されている段と、
に前記投球高低区別記録欄の前記段に対応して上下に区分されている、
ことを特徴とする請求項１に記載の野球用スコアシート。
【請求項３】
前記投球高低表示文字欄のうち前記投球高低区別記録欄に対して反対側、前記投球高低区別記録欄のうち前記投球高低表示文字欄に対して反対側、前記投球高低区別記録欄と前記投球高低表示文字欄との間、のうち少なくとも１か所には、打者のイラストが付されているイラスト欄が、設けられている、
ことを特徴とする請求項２に記載の野球用スコアシート。
【請求項４】
左右に９個連続して設けられている前記投球高低区別記録欄の左側か右側か少なくともいずれか一方には、分析用に、投球の合計数を記入する分析用数値合計記入欄が、設けられていて、
前記分析用数値合計記入欄は、少なくとも、
前記高ボール投球記録段に記録されている投球の合計数を記入する高ボール投球合計数記入段と、
前記高ストライク等投球記録段に記録されている投球の合計数を記入する高ストライク等投球合計数記入段と、
前記低ストライク等投球記録段に記録されている投球の合計数を記入する低ストライク等投球合計数記入段と、
前記低ボール投球記録段に記録されている投球の合計数を記入する低ボール投球合計数記入段と、
に前記投球高低区別記録欄の前記段に対応して上下に区分されている、
ことを特徴とする請求項１〜３のいずれか１項に記載の野球用スコアシート。
【請求項５】
左右に９個連続して設けられている前記投球高低区別記録欄と、
前記投球高低区別記録欄の左側に設けられている前記投球高低表示文字欄と、
前記投球高低表示文字欄の左側に設けられている前記イラスト欄と、
前記投球高低区別記録欄の右側に設けられている前記分析用数値合計記入欄と、
からなる１行の記録欄であって、
前記記録欄は、用紙の一面に上下に５行設けられていて、かつ、前記用紙の他面あるいは他の用紙の一面に上下に４行設けられている、
ことを特徴とする請求項４に記載の野球用スコアシート。
【請求項６】
左右に９個連続して設けられている前記投球高低区別記録欄と、
前記投球高低区別記録欄の左側に設けられている前記投球高低表示文字欄と、
前記投球高低表示文字欄の左側に設けられている前記イラスト欄と、
前記投球高低区別記録欄の右側に設けられている前記分析用数値合計記入欄と、
前記投球高低区別記録欄の下側に設けられているカウント記入欄および打席結果欄と、
からなる１行の記録欄であって、
前記記録欄は、用紙の一面に上下に５行設けられていて、かつ、前記用紙の他面あるいは他の用紙の一面に上下に４行設けられている、
ことを特徴とする請求項４に記載の野球用スコアシート。
【請求項７】
前記ストライク等投球記録段は、
ストライクゾーンの上方部分を含む投球を記録する高ストライク等投球記録段と、
ストライクゾーンの中位部分を含む投球を記録する中位ストライク等投球記録段と、
ストライクゾーンの下方部分を含む投球を記録する低ストライク等投球記録段と、
に上下３段に区分されている、
ことを特徴とする請求項１〜６のいずれか１項に記載の野球用スコアシート。
【請求項８】
前記分析用数値合計記入欄は、
前記高ボール投球記録段に記録されている投球の合計数を記入する高ボール投球合計数記入段と、
前記高ストライク等投球記録段に記録されている投球の合計数を記入する高ストライク等投球合計数記入段と、
前記中位ストライク等投球記録段に記録されている投球の合計数を記入する中位ストライク等投球合計数記入段と、
前記低ストライク等投球記録段に記録されている投球の合計数を記入する低ストライク等投球合計数記入段と、
前記低ボール投球記録段に記録されている投球の合計数を記入する低ボール投球合計数記入段と、
に上下５段に区分されている、
ことを特徴とする請求項７に記載の野球用スコアシート。
【請求項９】
前記の請求項１〜８のいずれか１項に記載の野球用スコアシートの複数枚を１冊に啜り込んだ、
ことを特徴とする野球用スコアブック。
【考案の詳細な説明】
【技術分野】
【０００１】
本考案は、野球用スコアシート、野球用スコアブックに関する。野球用スコアシートは、投手対打者、１対１のプレーの経過を打者毎に、１試合に登場する全打者について、走者になった場合のプレーまでの始終を、打者の登場順に並べて記録する用紙である。野球用スコアブックは、複数枚の野球用スコアシートをノートブックタイプに綴じられたものである。
【背景技術】
【０００２】
従来の野球用スコアシート、野球用スコアブックは、主に、打者の打席の結果と出塁後の結果とを記録するものであった。このために、従来の野球用スコアシート、野球用スコアブックは、ボールカウントの記録欄を備えていても、投球コースの記録欄を備えていなかった。
【０００３】
そこで、投球コースの記録欄を備えた野球用スコアシート、野球用スコアブックが、特許文献１、特許文献２のように、提案されている。
【０００４】
特許文献１の野球用スコアシートは、投手が投げたボールのコースを上下方向のコースと左右方向のコースとに記入する記入欄であって、その記入欄に上下方向のコースと左右方向のコースとの目印となる複数種類の文字が記されているものである。そして、特許文献１の野球用スコアシートは、前記の記入欄を所定の投球数分一方向に並べて配した記入表が、紙の一面にプリントされているものである。
【０００５】
特許文献２の野球用スコアブックは、試合記録用紙の打者の各打席記録欄の中に打者のストライクゾーンが図示され、このストライクゾーンに別紙、別欄に用意された記入用符号を用いながら、投手の配球を図示方式で記入するものである。
【先行技術文献】
【特許文献】
【０００６】
【特許文献１】特開２０１４−９４０４９号公報
【特許文献２】特開平１０−１１４１７６号公報
【考案の概要】
【考案が解決しようとする課題】
【０００７】
特許文献１の野球用スコアシートおよび特許文献２の野球用スコアブック（以下、「従来の物」と称する）は、投球の高中低のコースと共に、投球の左中右（内中外）のコースをも記録もしくは記入（以下、「記録」と称する）するものである。このために、特許文献１の野球用スコアシートおよび特許文献２の野球用スコアブックは、記録することが煩雑であり、しかも、投手の配球を記録するときに最も適した場所であるバックネット裏において記録することには適しているが、ベンチにおいて記録することには適していない。
【０００８】
本考案は、このような課題を解決するためのものであり、記録することが簡単であり、しかも、ベンチにおいて記録することにも適している野球用スコアシート、野球用スコアブックを提供することを目的とする。
【課題を解決するための手段】
【０００９】
本考案の野球用スコアシートは、１枚の用紙には、打者の打席毎に投手の投球の高低を投球毎に記録する投球高低区別記録欄が、設けられていて、投球高低区別記録欄が、ストライクゾーンよりも上方の投球を記録する高ボール投球記録段と、ストライクゾーンを含む投球を記録するストライク等投球記録段と、ストライクゾーンよりも下方の投球を記録する低ボール投球記録段と、に上下３段に区分されていて、ストライク等投球記録段が、少なくとも、ストライクゾーンの上方部分を含む投球を記録する高ストライク等投球記録段と、ストライクゾーンの下方部分を含む投球を記録する低ストライク等投球記録段と、に上下２段に区分されている、ことを特徴とするものである。
【００１０】
また、本考案の野球用スコアシートは、投球高低区別記録欄の左側か右側かいずれか一方には、投球の高低を表わす文字や記号等が付されている投球高低表示文字欄が、設けられていて、投球高低表示文字欄が、少なくとも、ストライクゾーンよりも上方の投球（ボール）を表わす文字や記号等が付されている段と、ストライクゾーンの上方部分を含む投球を表わす文字や記号等が付されている段と、ストライクゾーンの下方部分を含む投球を表わす文字や記号等が付されている段と、ストライクゾーンよりも下方の投球（ボール）を表わす文字や記号等が付されている段と、に投球高低区別記録欄の段に対応して上下に区分されている、ことを特徴とするものである。
【００１１】
さらに、本考案の野球用スコアシートは、投球高低表示文字欄のうち投球高低区別記録欄に対して反対側、投球高低区別記録欄のうち投球高低表示文字欄に対して反対側、投球高低区別記録欄と投球高低表示文字欄との間、のうち少なくとも１か所には、打者のイラストが付されているイラスト欄が、設けられている、ことを特徴とするものである。
【００１２】
さらにまた、本考案の野球用スコアシートは、左右に９個（９打者分）連続して設けられている投球高低区別記録欄の左側か右側か少なくともいずれか一方には、分析用に、投球の合計数を記入する分析用数値合計記入欄が、設けられていて、分析用数値合計記入欄が、少なくとも、高ボール投球記録段に記録されている投球の合計数を記入する高ボール投球合計数記入段と、高ストライク等投球記録段に記録されている投球の合計数を記入する高ストライク等投球合計数記入段と、低ストライク等投球記録段に記録されている投球の合計数を記入する低ストライク等投球合計数記入段と、低ボール投球記録段に記録されている投球の合計数を記入する低ボール投球合計数記入段と、に投球高低区別記録欄の段に対応して上下に区分されている、ことを特徴とするものである。
【００１３】
さらにまた、本考案の野球用スコアシートは、左右に９個連続して設けられている投球高低区別記録欄と、投球高低区別記録欄の左側に設けられている投球高低表示文字欄と、投球高低表示文字欄の左側に設けられているイラスト欄と、投球高低区別記録欄の右側に設けられている分析用数値合計記入欄と、からなる１行の記録欄であって、記録欄が、用紙の一面に上下に５行設けられていて、かつ、用紙の他面あるいは他の用紙の一面に上下に４行設けられている、ことを特徴とするものである。
【００１４】
さらにまた、本考案の野球用スコアシートは、左右に９個連続して設けられている投球高低区別記録欄と、投球高低区別記録欄の左側に設けられている投球高低表示文字欄と、投球高低表示文字欄の左側に設けられているイラスト欄と、投球高低区別記録欄の右側に設けられている分析用数値合計記入欄と、投球高低区別記録欄の下側に設けられているカウント記入欄および打席結果欄と、からなる１行の記録欄であって、記録欄が、用紙の一面に上下に５行設けられていて、かつ、用紙の他面あるいは他の用紙の一面に上下に４行設けられている、ことを特徴とするものである。
【００１５】
さらにまた、本考案の野球用スコアシートは、ストライク等投球記録段が、ストライクゾーンの上方部分を含む投球を記録する高ストライク等投球記録段と、ストライクゾーンの中位部分を含む投球を記録する中位ストライク等投球記録段と、ストライクゾーンの下方部分を含む投球を記録する低ストライク等投球記録段と、に上下３段に区分されている、ことを特徴とするものである。
【００１６】
さらにまた、本考案の野球用スコアシートは、分析用数値合計記入欄が、高ボール投球記録段に記録されている投球の合計数を記入する高ボール投球合計数記入段と、高ストライク等投球記録段に記録されている投球の合計数を記入する高ストライク等投球合計数記入段と、中位ストライク等投球記録段に記録されている投球の合計数を記入する中位ストライク等投球合計数記入段と、低ストライク等投球記録段に記録されている投球の合計数を記入する低ストライク等投球合計数記入段と、低ボール投球記録段に記録されている投球の合計数を記入する低ボール投球合計数記入段と、に上下５段に区分されている、ことを特徴とするものである。
【００１７】
さらにまた、本考案の野球用スコアブックは、前記の各本考案の野球用スコアシートを複数枚１冊に啜り込んだ、ことを特徴とするものである。
【考案の効果】
【００１８】
本考案によれば、記録することが簡単であり、しかも、試合中の一塁側、三塁側のそれぞれのベンチにおいて記録することにも適している。
【図面の簡単な説明】
【００１９】
【図１】図１は、本考案の実施の形態に係る野球用スコアシートの１ページ目を示すレイアウト図である。
【図２】図２は、本考案の実施の形態に係る野球用スコアシートの２ページ目を示すレイアウト図である。
【図３】図３は、主要な欄の一部を示す拡大図である。
【図４】図４は、記録例を示す拡大説明図である。
【図５】図５は、記録例を示す拡大説明図である。
【図６】図６は、用紙に記入する記号の内容を示す説明図である。
【図７】図７は、第１打席１行使用の場合における記入例を示す説明図である。
【図８】図８は、１イニング１行使用の場合における記入例（相手校の第１イニングから第５イニングまでの記入例）を示す説明図である。
【図９】図９は、１イニング１行使用の場合における記入例（相手校の第６イニングから第９イニングまでの記入例）を示す説明図である。
【図１０】図１０は、１イニング１行使用の場合における記入例（自校の第１イニングから第５イニングまでの記入例）を示す説明図である。
【図１１】図１１は、１イニング１行使用の場合における記入例（自校の第６イニングから第９イニングまでの記入例）を示す説明図である。
【考案を実施するための形態】
【００２０】
本考案の実施の形態に係る野球用スコアシート、野球用スコアブックについて、図面を参照しながら説明する。
【００２１】
（実施の形態の構成の説明）
本考案の実施の形態に係る野球用スコアシートは、用紙の一面に各欄が印刷された１ページ目（図１）と、前記の用紙の他面あるいは他の用紙の一面に各欄が印刷された２ページ目（図２）と、からなる。本考案の実施の形態に係る野球用スコアブックは、前記の本考案の実施の形態に係る野球用スコアシートの複数枚を１冊に綴り込んで形成されている。
【００２２】
用紙に印刷される欄（あるいは、用紙に設けられている欄）は、投球高低区別記録欄１１、１２、１３、１４、１５（以下、「１１〜１５」と称する場合がある）、投球高低文字（投球の高低別、投球のストライク・ボール別などの見出し）欄２１、２２、２３、２４、２５（以下、「２１〜２５」と称する場合がある）、イラスト欄３、分析用数値合計記入欄３１、３２、３３、３４、３５（以下、「３１〜３５」と称する場合がある）、カウント記入欄３０、打席結果欄（打席結果記入欄）３００、イニング表示欄３０１、打席表示欄３０２、打席回数欄３０３、イニング数表示欄３０４、相手校の投手名欄３０５、その他の欄、である。
【００２３】
投球高低区別記録欄１１〜１５は、打者の打席毎に投手の投球の高低（高中低）を投球毎に記録する欄である。この例では、投手の投球の高低を、投球順に左から右に記入位置を少しづつずらして順次記録する。投球高低区別記録欄１１〜１５は、左右に９個（９打者分）連続して設けられている。
【００２４】
９個の投球高低区別記録欄１１〜１５は、それぞれ、上下に５段にかつ上下幅が均等もしくはほぼ均等に区分されている。上１段目１１は、ストライクゾーンよりも上方の投球すなわちボール（非ストライク）を記録する高ボール（ハイボール）投球記録段である。上２段目１２は、ストライクゾーンの上方部分を含む投球すなわち高位部分を通過した投球を記録するストライク等投球記録段としての高ストライク（高位ストライク、ハイストライク）等投球記録段である。上３段目１３は、ストライクゾーンの中位部分を含む投球すなわち中位部分を通過した投球を記録するストライク等投球記録段としての中ストライク（中位ストライク、ミディアムストライク）等投球記録段である。上４段目１４は、ストライクゾーンの下方部分を含む投球すなわち低位部分を通過した投球を記録するストライク等投球記録段としての低ストライク（低位ストライク、ローストライク）等投球記録段である。上５段目１５は、ストライクゾーンよりも下方の投球すなわちボール（非ストライク）を記録する低ボール（ローボール）投球記録段である。
【００２５】
投球高低区別記録欄１１〜１５の上１段目１１から上５段目１５にかけての配置は、打者の頭部から足下にかけてのグランド面からの高さにそれぞれ対応している。
【００２６】
高ストライク等投球記録段１２、中位ストライク等投球記録段１３、低ストライク等投球記録段１４には、ストライクの投球と、高さは高中低位であっても左右（内外）に外れたボールの投球と、がそれぞれ記録される。
【００２７】
投球高低表示文字欄２１〜２５は、投球高低区別記録欄１１〜１５の左側に設けられている。投球高低表示文字欄２１〜２５は、投球高低区別記録欄１１〜１５の上下５段に対応して上下に５段に均等に区分されている。
【００２８】
上１段目２１には、ストライクゾーンよりも上方の投球を表わす文字や記号等この例では「ＨＢ（ハイボール）」が付されている（表示されている）。上２段目２２には、ストライクゾーンの上方部分を含む投球を表わす文字や記号等この例では「ＨＳ（ハイストライク）」が付されている。上３段目２３には、ストライクゾーンの中位部分を含む投球を表わす文字や記号等この例では「ＭＳ（ミディアムストライク）」が付されている。上４段目２４には、ストライクゾーンの下方部分を含む投球を表わす文字や記号等この例では「ＬＳ（ローストライク）」が付されている。上５段目２５には、ストライクゾーンよりも下方の投球を表わす文字や記号等この例では「ＬＢ（ローボール）」が付されている。
【００２９】
イラスト欄３は、投球高低表示文字欄２１〜２５の左側に設けられている。イラスト欄３には、左打者のイラストが付されている。なお、右打者のイラストを付しても良いし、また、左右の区別がない打者のイラストを付しても良い。
【００３０】
分析用数値合計記入欄３１〜３５は、投球高低区別記録欄１１〜１５の右側に若干の余白を開けて設けられている。なお、分析用数値合計記入欄３１〜３５は、投球高低区別記録欄１１〜１５の右側に余白を開けずに続けて設けても良い。分析用数値合計記入欄３１〜３５は、分析用に、投球の合計数を記入する欄である。分析用数値合計記入欄３１〜３５は、投球高低区別記録欄１１〜１５の上下５段に対応して上下に５段に均等に区分されている。
【００３１】
上１段目３１は、高ボール投球記録段１１に記録されている投球の合計数を記入する高ボール投球合計数記入段である。上２段目３２は、高ストライク等投球記録段１２に記録されている投球の合計数を記入する高ストライク等投球合計数記入段である。上３段目３３は、中位ストライク等投球記録段１３に記録されている投球の合計数を記入する中ストライク等投球合計数記入段である。上４段目３４は、低ストライク等投球記録段１４に記録されている投球の合計数を記入する低ストライク等投球合計数記入段である。上５段目３５は、低ボール投球記録段１５に記録されている投球の合計数を記入する低ボール投球合計数記入段である。
【００３２】
分析用数値合計記入欄３１〜３５の右側には、打者数記入欄３６と、投球数記入欄３７と、平均投球数記入欄３８とが、それぞれ、上下に均等に区分されていて設けられている。打者数記入欄３６は、１イニングの打者の合計人数を記録する欄である。打者数記入欄３６の右側には、「人」の文字が付されている。投球数記入欄３７は、１イニングの投球の合計数を記入する欄である。投球数記入欄３７の右側には、「球」の文字が付されている。平均投球数記入欄３８は、１イニングの１打者に対する平均投球数を記録する欄である。平均投球数記入欄３８の左側には、「アットマーク」の文字がそれぞれに付されている。平均投球数記入欄３８の右側には、「球」の文字が付されている。
【００３３】
なお、この例では、分析用数値合計記入欄３１〜３５および前記の欄３６〜３８の下側には、下記の欄がそれぞれ設けられている。すなわち、「スィング」の文字が付されている左側の欄と、「打球」、「空振り」、「バント」、「ストライク」、「ボール」の文字が付されている上下５段の中間の欄と、「見送り」の文字が付されている右側の欄と、である。また、それらの１イニングにおける合計数を記録する空白の記録欄である。すなわち、「スイング」の欄および「見送り」の欄の下側の上下５段であって、「打球」欄、「空振り」欄、「バント」欄、「ストライク」欄、「ボール」欄にそれぞれ対応した空白の記録欄である。なお、これらの欄（欄の枠）は、設けなくても良い。すなわち、これらの欄の項目は、余白に記録することができる。
【００３４】
カウント記入欄３０は、９個の投球高低区別記録欄１１〜１５の下側にそれぞれ設けられている。カウント記入欄３０は、打者の打席毎のボール投球数とストライク投球数と全投球数とが記録される欄である。カウント記入欄３０の中間には、「−」の記号が付されている。また、カウント記入欄３０の右側には、「（）」の記号が付されている。カウント記入欄３０の左側であって、投球高低表示文字欄２１〜２５およびイラスト欄３の下側には、「カウント」の文字が付されている欄が設けられている。
【００３５】
この「−」記号の左側には、ボールカウント数が記入される。たとえば、１ボールのときは「１」が、２ボールのときは「２」が、３ボールのときは「３」が、それぞれ記入される。また、この「−」記号の右側には、ストライクカウント数が記入される。たとえば、１ストライクのときは「１」が、２ストライクのときは「２」が、それぞれ記入される。さらに、「（）」記号の中（カッコ内）には、一人の打者に対する合計の投球数が記入される。なお、初球（１投目の投球）で打席結果が出たときは、０ボール、０ストライクであるから、ボールカウント数およびストライクカウント数は、０−０と吸入し、（）内は（１）と記入する。
【００３６】
打席結果欄３００は、９個のカウント記入欄３０の下側にそれぞれ設けられている。打席結果欄３００は、打者の打席毎の打席結果が記録される欄である。打席結果欄３００の中央には、「◇」の記号が付されている。打席結果欄３００の左側にある「カウント」の文字欄の下側には、「打席結果」の文字が付されている欄が設けられている。
【００３７】
イニング表示欄３０１、打席表示欄３０２は、９個の投球高低区別記録欄１１〜１５の上側にそれぞれ設けられている。イニング表示欄３０１は、打席表示欄３０２に対して左側に設けられている。イニング表示欄３０１の右側には、「回」の文字が付されている。イニング表示欄３０１は、イニング数が記録される欄である。打席表示欄３０２には、「ＬＲ」の文字が左右に付されている。打席表示欄３０２は、打者の打席毎の打席が記録される欄である。左打席の場合には、文字「Ｌ」を囲む○を記録し、右打席の場合には、文字「Ｒ」を囲む○を記録する。イニング表示欄３０１、打席表示欄３０２の左側であって、投球高低表示文字欄２１〜２５、イラスト欄３、打席回数欄３０３およびイニング数表示欄３０４の上側には、「左枠・イニング表示→」「右枠・打席左右→」の文字や記号が上下２段に付されている欄が設けられている。
【００３８】
打席回数欄３０３は、イラスト欄３、「カウント」の文字欄および「打席結果」の文字欄の左側であって、「左枠・イニング表示→」「右枠・打席左右→」欄の下側に設けられている。打席回数欄３０３には、「第○打席」の文字が縦に付されている。なお、○の位置には、１〜９あるいは１〜５の数字が印刷されている。
【００３９】
イニング数表示欄３０４は、打席回数欄３０３の左側であって、「左枠・イニング表示→」「右枠・打席左右→」欄の下側に設けられている。イニング数表示欄３０４には、「第○イニング」の文字が縦に付されている。なお、○の位置には、１〜９の数字が印刷されている。
【００４０】
相手校の投手名欄３０５は、「左枠・イニング表示→」「右枠・打席左右→」欄およびイニング数表示欄３０４の左側に設けられている。相手校の投手名欄３０５は、相手校の投手名が記録される欄である。
【００４１】
９個の投球高低区別記録欄１１〜１５、１個の投球高低表示文字欄２１〜２５、１個のイラスト欄３、１個の分析用数値合計記入欄３１〜３５、９個のカウント記入欄３０、９個の打席結果欄３００、９個のイニング表示欄３０１、９個の打席表示欄３０２、１個の打席回数欄３０３、１個のイニング数表示欄３０４、１個の相手校の投手名欄３０５は、１行の記録欄を構成する。
【００４２】
前記の記録欄（１１〜１５、２１〜２５、３、３１〜３５、３０、３００、３０１、３０２、３０３、３０４、３０５）は、用紙の一面（図１に示す１ページ目）に上下に５行設けられていて、かつ、前記の用紙の他面あるいは他の用紙の一面（図２に示す２ページ目）に上下に４行設けられている。１ページ目（図１）の右上隅には、「Ｐ１」の文字が、２ページ目（図２）の右上隅には、「Ｐ２」の文字が、それぞれ、付されている。
【００４３】
１ページ目（図１）と２ページ目（図２）とにより、本考案の実施の形態に係る野球用スコアシートが構成される。この野球用スコアシートの複数枚を１冊に綴り込んで、本考案の実施の形態に係る野球用スコアブックが構成される。なお、１ページ目（図１）の打席回数欄３０３およびイニング数表示欄３０４の○の位置には、１〜５の数字が各行毎に印刷されている。また、２ページ目（図２）の打席回数欄３０３およびイニング数表示欄３０４の○の位置には、６〜９の数字が各行毎に印刷されている。なお、２ページ目（図２）の打席回数欄３０３の○の位置に６〜９の数字を印刷しなくても良い。
【００４４】
以下、その他の欄について説明する。なお、その他の欄は、必ずしも設けなくても良い。１ページ目（図１）の１行目の相手校の投手名欄３０５の上側と２ページ目（図２）の１行目の相手校の投手名欄３０５の上側とには、それぞれ、「相手校の投手名」の文字が付されている欄が設けられている。１ページ目（図１）の２〜５行目の相手校の投手名欄３０５の上側と２ページ目（図２）の２〜４行目の相手校の投手名欄３０５の上側とには、それぞれ、空欄が設けられている。
【００４５】
１ページ目（図１）の１行目の「左枠・イニング表示→」「右枠・打席左右→」欄の上側と２ページ目（図２）の１行目の「左枠・イニング表示→」「右枠・打席左右→」欄の上側とには、下記の欄がそれぞれ設けられている。すなわち、「□イニング↓」の文字や記号が付されている左側の欄１００と、「□打席↓」の文字や記号が付されている中央の欄１０１と、「スタメン」「交替丸（マル）１（○の位置に数字１が表示）」「交替丸２（○の位置に数字２が表示）」「交替丸３（○の位置に数字３が表示）」の文字が付されている上下４段の右側の欄１０２と、である。
【００４６】
「□イニング↓」欄１００は、「左枠・イニング表示→」「右枠・打席左右→」欄１０３を挟んでイニング数表示欄３０４にそれぞれ対応している。「□打席↓」欄１０１は、「左枠・イニング表示→」「右枠・打席左右→」欄を挟んで打席回数欄３０３にそれぞれ対応している。
【００４７】
「□イニング↓」「□打席↓」「スタメン」「交替丸１」「交替丸２」「交替丸３」欄１００、１０１、１０２の上側には、「打順→」「守備位置→」の文字や記号が上下２段に付されている欄１０３が設けられている。
【００４８】
１ページ目（図１）の１行目の９個のイニング表示欄３０１および打席表示欄３０２の上側と２ページ目（図２）の１行目の９個のイニング表示欄３０１および打席表示欄３０２の上側とには、９個の空白の記録欄が、「スタメン」「交替丸１」「交替丸２」「交替丸３」欄１０２にそれぞれ対応して上下に４段に設けられている。９個の空白の記録欄は、それぞれ、左右に区分されている。左側の空白の記録欄は、守備位置の記号（数字の１〜９）が記録される。右側の空白の記録欄は、選手の名前が記録される。
【００４９】
９個の空白の記録欄の上側には、文字記号欄が「打順→」「守備位置→」欄１０３にそれぞれ対応して上下に２段に設けられている。「打順→」欄に対応している上段の文字記号欄には、丸１〜丸９（○の位置に数字９が表示）の文字記号がそれぞれ付されている。「守備位置→」欄に対応している下段の文字記号欄には、左側の「＊」と右側の「名前」との文字記号がそれぞれ左右両側の空白の記録欄に対応して付されている。
【００５０】
１ページ目（図１）の２〜５行目の「左枠・イニング表示→」「右枠・打席左右→」の文字記号欄の上側と２ページ目（図２）の２〜４行目の「左枠・イニング表示→」「右枠・打席左右→」の文字記号欄の上側とには、それぞれ、「打席交代者名→」、または、「交代者名→」の文字や記号が付されている欄が設けられている。
【００５１】
１ページ目（図１）の２〜５行目の９個のイニング表示欄３０１および打席表示欄３０２の上側と２ページ目（図２）の２〜４行目の９個のイニング表示欄３０１および打席表示欄３０２の上側とには、それぞれ、打席交代者名を記録する９個の空白の記録欄が設けられている。
【００５２】
１ページ目（図１）の１行目の分析用数値合計記入欄３１〜３５および前記の欄３６〜３８の上側と２ページ目（図２）の１行目の分析用数値合計記入欄３１〜３５および前記の欄３６〜３８の上側とには、それぞれ、下記の文字欄が余白を開けて設けられている。
【００５３】
文字欄は、分析用数値合計記入欄３１〜３５に対応した「高低別球数」の文字が縦書きされた欄である。また、文字欄は、打者数記入欄３６、投球数記入欄３７、平均投球数記入欄３８にそれぞれ対応した「打者数」、「投球数」「１打者平均数」の文字が横書きされた欄である。分析用数値合計記入欄３１〜３５と「高低別球数」欄との間には、「↓」が付されている。
【００５４】
１ページ目（図１）および２ページ目（図２）の文字欄および分析用数値合計記入欄３１〜３５および前記の欄３６〜３８の右側には、それぞれ、対戦両チームのイニング別の得点を全イニングについて記入するスコア欄が設けられている。スコア欄は、数字「１」〜「１５」が付されたイニング表示欄と、数字欄の左右にそれぞれ設けられた得点を記録する空白の記録欄と、からなる。数字欄の上側には、「回数↓」の文字記号が付されている。「回数↓」欄の左右両側には、校名を記録する空白の記録欄がそれぞれ設けられている。数字欄の下側には、「合計」の文字が付されている。「合計」欄の左右両側には、合計得点を記録する空白の記録欄がそれぞれ設けられている。なお、「イニング」と「回数」とは、同義語である。
【００５５】
１ページ目（図１）および２ページ目（図２）のスコア欄の下側には、メモ欄が設けられている。メモ欄の上側には、「特記事項／総括」の文字記号が付されている。
【００５６】
１ページ目（図１）の上側には、下記の欄がそれぞれ設けられている。すなわち、「大会名」の文字が付されている欄、「試合名」の文字が付されている欄、「対戦校」の文字が付されている欄、「球場」の文字が付されている欄、「試合日年月日」の文字が付されている欄、「時間時分〜時分ＨＭ」の文字が付されている欄、「自校名先攻後攻」の文字が付されている欄、「監督」の文字が付されている欄、「記録員」の文字が付されている欄、である。
【００５７】
１ページ目（図１）の右上隅の「Ｐ１」の文字の上側には、「□１イニング１行使用の場合」の文字記号が付されている。「Ｐ１」の文字の下側には、「□第１打席１行使用の場合１試合の記録」の文字記号が付されている。
【００５８】
すなわち、１イニングに１行を使用する場合（１イニングごとに行を変える場合）には、「□１イニング１行使用の場合」欄の□に「レ」を記録する。この場合には、１校（１チーム）分を１ページ目（図１）と２ページ目（図２）とを１組として使用する。また、１ページ目（図１）および２ページ目（図２）の打席回数欄３０３に取り消し線を付す。
【００５９】
一方、９人の打者の第１打席に１行を使用する場合には、「□第１打席１行使用の場合１試合の記録」欄の□に「レ」を記録する。この場合には、１校（１チーム）分を１ページに網羅して使用する。また、１ページ目（図１）のイニング数表示欄３０４に取り消し線を付す。
【００６０】
なお、□に「レ」を記録する他には、対応する「□１イニング１行使用の場合」欄あるいは「□第１打席１行使用の場合１試合の記録」欄を囲う楕円もしくは長円を付す記録、または、対応する欄に取り消し線を付す記録であっても良い。
【００６１】
２ページ目（図２）の下側には、下記の欄がそれぞれ設けられている。すなわち、「←１試合の合計値」の文字が付されている欄、「→打者別成績表」の文字が付されている欄、「打席数」の文字が付されている欄、「打数」の文字が付されている欄、「安打」の文字が付されている欄、「犠打」の文字が付されている欄、「四死球」の文字が付されている欄、「打点」の文字が付されている欄、「得点」の文字が付されている欄、「三振」の文字が付されている欄、「盗塁」の文字が付されている欄、「残塁」の文字が付されている欄、および、それらの数字を記録する空白の記録欄、である。「打席数」の欄の上には、「打者名」の文字が付されている欄４０が設けられている。この「打者名」欄４０の右方の空欄には、打席に立った打者氏名の記入欄となる。
【００６２】
２ページ目（図２）の４行目の分析用数値合計記入欄３１〜３５および前記の欄３６〜３８の下側には、同様の分析用数値合計記入欄３１〜３５および前記の欄３６〜３８が１試合の合計用として設けられている。この１試合の合計用の欄の上側には、「１試合の合計」が付されている欄が設けられている。
【００６３】
（実施の形態の使用例の説明）
本考案の実施の形態に係る野球用スコアシート、野球用スコアブックは、以上のごとき構成からなり、以下、その一使用例を、図４、図５、図６を参照して説明する。
【００６４】
図６は、用紙に記入する記号の内容を示す説明図である。以下、記号の内容について説明する。なお、用紙に記入する記号は、図６の説明図および図７〜図１１の記入例に限定されない。すなわち、記号は、既存のスコアシート、スコアブックに倣っても良い。なお、図６において示されている記号は、一部である。
【００６５】
以下、図６の符号に対応する記号の内容について説明する。符号１の記号「●」は、「ボール球」である。符号２の記号「○」は、「ストライク球を見送り」である。符号３の記号「白丸○の斜め左上に斜線＼が表示された記号」は、「ストライク球を左側にファール」である。符号４の記号「□」は、「ストライク球をバンド見送り」である。符号５の記号「＋」は、「打者が打った投球の球種であってストレート」である。符号６の記号「丸１」は、「１アウト（ワンアウト、一死）」である。符号７の記号「丸２」は、「２アウト（ツーアウト、二死）」である。符号８の記号「丸３」は、「３アウト（スリーアウト、三死）」である。符号９の記号「Ｋ」は、「三振」である。符号１０の記号「Ｈ」は、「四球（フォアボール）」である。符号１１の記号「８の上に上かっこが表示された記号」は、「センタフライ」である。符号１２の記号「Ｌ」は、「残塁」である。
【００６６】
以下、図４（Ａ）、（Ｂ）、（Ｃ）、（Ｄ）を参照して、記入例について説明する。
あるイニングの第１打者の打席において、１球目が低目のボール球、２球目が低目のストライク球を見送り、３球目が低目のストライク球を左側にファール、４球目が同じく低目のストライク球を左側にファール、５球目が低目のストライク球をバンド見送り、で三振となる。
【００６７】
このときの投球高低区別記録欄１１〜１５における記録は、図４（Ａ）に示すように、初めに低ボール投球記録段１５に符号１の記号「●」を記録し、次に、１記号分右に寄せて低ストライク等投球記録段１４に符号２の記号「○」を記録し、さらに、１記号分右に寄せて低ストライク等投球記録段１４に符号３の記号の記号を記録し、続いて、１記号分右に寄せて低ストライク等投球記録段１４に符号３の記号の記号を記録し、最後に、１記号分右に寄せて低ストライク等投球記録段１４に符号４の記号「□」を記録する。また、カウント記入欄３０中において、「−」記号の左側にボールカウント数の「１」の数字を、「−」記号の右側には、ストライクカウント数の「２」の数字を、「（）」記号の中には、第１打者に対する合計の投球数の「５」の数字を、それぞれ、記録する。さらに、打席結果欄３００中に、符号６の記号「丸１」と符号９の記号「Ｋ」とを記録する。
【００６８】
あるイニングの第２打者の打席において、１球目が低目のストライク球を見送り、２球目が同じく低目のストライク球を見送り、続いて、３球目が同じく低目のストライク球を見送り、で三振となる。
【００６９】
このときの投球高低区別記録欄１１〜１５における記録は、図４（Ｂ）に示すように、１球毎に１記号分右寄せてで、初めに低ストライク等投球記録段１４に符号２の記号「○」を記録し、次に、低ストライク等投球記録段１４に符号２の記号「○」を記録し、続いて、低ストライク等投球記録段１４に符号２の記号「○」を記録する。また、カウント記入欄３０中において、「−」記号の左側にボールカウント数の「０」の数字を、「−」記号の右側には、ストライクカウント数の「２」の数字を、「（）」記号の中には、第２打者に対する合計の投球数の「３」の数字を、それぞれ、記録する。さらに、打席結果欄３００中に、符号７の記号「丸２」と符号９の記号「Ｋ」とを記録する。
【００７０】
あるイニングの第３打者の打席において、１球目が高目のボール球、２球目が高ストライクゾーンと同じ高さのボール球、３球目が高目のストライク球を見送り、４球目が低目のボール球、５球目が中ストライク球をバンド見送り、６球目が中ストライクゾーンと同じ高さのボール球、で四球となる。
【００７１】
このときの投球高低区別記録欄１１〜１５における記録は、図４（Ｃ）に示すように、１球毎に１記号分右寄せてで、初めに高ボール投球記録段１１に符号１の記号「●」を記録し、次に、高ストライク等投球記録段１２に符号１の記号「●」を記録し、さらに、高ストライク等投球記録段１２に符号２の記号「○」を記録し、続いて、低ボール投球記録段１５に符号１の記号「●」を記録し、それから、中位ストライク等投球記録段１３に符号４の記号「□」を記録し、最後に、中位ストライク等投球記録段１３に符号１の記号「●」を記録する。また、カウント記入欄３０中において、「−」記号の左側にボールカウント数の「３」の数字を、「−」記号の右側には、ストライクカウント数の「２」の数字を、「（）」記号の中には、第３打者に対する合計の投球数の「６」の数字を、それぞれ、記録する。さらに、打席結果欄３００中に、符号１０の記号「Ｈ」の記号を記録する。
【００７２】
あるイニングの第４打者の打席において、１球目が高目のボール球、２球目が同じく高目のボール球、３球目が高目のストライク球をバンド見送り、４球目が低目のストライク球を見送り、５球目が中ストライクのストレートであって、打者が打って、センタフライとなる。第３打者は、１塁残塁となる。
【００７３】
このときの投球高低区別記録欄１１〜１５における記録は、図４（Ｄ）に示すように、１球毎に１記号分右寄せてで、初めに高ボール投球記録段１１に符号１の記号「●」を記録し、次に、高ボール投球記録段１１に符号１の記号「●」を記録し、さらに、高ストライク等投球記録段１２に符号４の記号「□」を記録し、続いて、低ストライク等投球記録段１４に符号２の記号「○」を記録し、最後に、中位ストライク等投球記録段１３に符号５の記号「＋」を記録する。また、カウント記入欄３０中において、「−」記号の左側にボールカウント数の「２」の数字を、「−」記号の右側には、ストライクカウント数の「２」の数字を、「（）」記号の中には、第４打者に対する合計の投球数の「５」の数字を、それぞれ、記録する。さらに、打席結果欄３００中に、符号７の記号「丸２」と符号１１の記号とを記録する。さらにまた、第３打者の打席結果欄３００中に、符号１２の記号「Ｌ」を記録する。
【００７４】
ここで、あるイニングにおいて、分析用に数値を合計する。すなわち、高ボール投球記録段１１に記録されている投球の合計数、この一使用例では、「３」を高ボール投球合計数記入段３１に記録する。また、高ストライク等投球記録段１２に記録されている投球の合計数、この一使用例では、「３」を高ストライク等投球合計数記入段３２に記録する。さらに、中位ストライク等投球記録段１３に記録されている投球の合計数、この一使用例では、「３」を中ストライク等投球合計数記入段３３に記録する。さらにまた、低ストライク等投球記録段１４に記録されている投球の合計数、この一使用例では、「７」を低ストライク等投球合計数記入段３４に記録する。さらにまた、低ボール投球記録段１５に記録されている投球の合計数、この一使用例では、「３」を低ボール投球合計数記入段３５に記録する。
【００７５】
そして、打者数記入欄３６に「４」を記録する。投球数記入欄３７に「１９」を記録する。平均投球数記入欄３８に「４．７５」を記録する。このようにして、あるイニングにおける打者の打席毎の投手の投球の高低が記録され、また、カウントと打席結果と分析用の合計数値とがそれぞれ記録される。さらに、図２の２ページ目の最終行右方に設けられている１試合の合計値が記録される。なお、この一使用例において記録された記号は、既存の野球用スコアシート、野球用スコアブックの記録記号（記録符号）を参照しており、この考案では、用いられる記号を制約しない。
【００７６】
なお、図７の説明図は、１イニング１行使用の場合における記入例を示すものである。この記入法では、１ページで、相手校の９イニングの結果と自校の９イニングの結果とが記録できる。この図７の例では、第５打席で試合が終了している記入例である。
図８の説明図は、第１打席１行使用の場合における記入例であって、１ページで相手校の第１イニングから第５イニングまでの結果を記録した。図９の説明図は、同じく、第１打席１行使用の場合における記入例であって、相手校の第６イニングから第９イニングまでの結果を記録した。この図８と図９とにより、１試合の記録となる。
図１０の説明図は、第１打席１行使用の場合における記入例であって、自校の第１イニングから第５イニングまでの結果を記録した。図１１の説明図は、同じく、第１打席１行使用の場合における記入例であって、自校の第６イニングから第９イニングまでの結果を記録した。
この図８〜図１１において、１イニングに登場する打者が９人を超えた場合には、次の１行を使用した記録になる。
【００７７】
（実施の形態の効果の説明）
本考案の実施の形態に係る野球用スコアシート、野球用スコアブックは、以上のごとき構成からなり、以下、その効果について説明する。
【００７８】
本考案の実施の形態に係る野球用スコアシート、野球用スコアブックは、記録することが簡単であり、しかも、試合中の一塁側、三塁側のそれぞれのベンチにおいて記録することにも適している。すなわち、この実施の形態に係る野球用スコアシート、野球用スコアブックは、打者の打席毎に投手の投球の高低を投球毎に記録する投球高低区別記録欄１１〜１５を設けたものである。このために、この実施の形態に係る野球用スコアシート、野球用スコアブックは、投球の左右を記録する必要がなく、投球の高低のみを記録するだけで良いので、投球の高中低と共に投球の左中右（内中外）をも記録する従来の物と比較して、記録することが簡単である。
【００７９】
しかも、この実施の形態に係る野球用スコアシート、野球用スコアブックは、投球の左右（内外）を記録する必要がないので、記録者がバックネット裏や捕手真後ろのような限られた位置に坐さなくても良い。これにより、この実施の形態に係る野球用スコアシート、野球用スコアブックは、試合中のベンチにおいて記録することに適している。当然のことながら、バックネット裏における記録使用にも支障はない。
【００８０】
特に、この実施の形態に係る野球用スコアシート、野球用スコアブックは、打者の打席毎に投手の投球の高低を投球毎に記録する投球高低区別記録欄１１〜１５を主要の欄として大きく設けたものである。このために、この実施の形態に係る野球用スコアシート、野球用スコアブックは、従来の物では不可能だった投球の高低を簡単にかつ明確に記録することができる。
【００８１】
この実施の形態に係る野球用スコアシート、野球用スコアブックは、投球の高低による効果を高精度に分析することができる。たとえば、低目の投球（ストライク球およびボール球を含む）が、高めのストライク球を強振して来る打者を抑えるのに、有効であることを、平易に適確に分析することができる。これは、投球の高低を簡単にかつ明確に記録することができるこの実施の形態に係る野球用スコアシート、野球用スコアブックの特色である。
【００８２】
しかも、実戦において投球の高低を簡単にかつ明確に記録されたこの実施の形態に係る野球用スコアシート、野球用スコアブックにより、前記の事項（低目の投球が、高めのストライク球を強振して来る打者を抑えるのに、有効であること）を、高精度に分析され、かつ、実証され、さらに、投手の投球の錬成を促すことができる。
【００８３】
この実施の形態に係る野球用スコアシート、野球用スコアブックは、高ストライク等投球記録段１２、中位ストライク等投球記録段１３、低ストライク等投球記録段１４に、ストライクの投球と、高さがストライクであっても左右（内外）に外れたボールの投球と、をそれぞれ記録するものである。このために、この実施の形態に係る野球用スコアシート、野球用スコアブックは、投球の左中右（内中外）の記録がなくとも、各投手（特に相手校の投手）の投球の高低を平易に適確に分析することができ、しかも、その分析により、各投手の投球内容を高確率で把握することができる。すなわち、相手校の投手の手の内を高確率で把握することができる。
【００８４】
この実施の形態に係る野球用スコアシート、野球用スコアブックは、左右に９個連続して設けられている投球高低区別記録欄１１〜１５の左側に投球高低表示文字欄２１〜２５を設けたものである。このために、この実施の形態に係る野球用スコアシート、野球用スコアブックは、投球の高低を簡単にかつ迅速にかつ正確に記録することに役立つ工夫が加えられている。
【００８５】
この実施の形態に係る野球用スコアシート、野球用スコアブックは、左右に９個連続して設けられている投球高低区別記録欄１１〜１５の左側に投球高低表示文字欄２１〜２５を設け、この投球高低表示文字欄２１〜２５の左側にイラスト欄３を設けたものである。このために、この実施の形態に係る野球用スコアシート、野球用スコアブックは、投球の高低を視覚的に簡単にかつ迅速にかつ正確に記録できる工夫が加えられている。
【００８６】
この実施の形態に係る野球用スコアシート、野球用スコアブックは、左右に９個連続して設けられている投球高低区別記録欄１１〜１５の右側に分析用数値合計記入欄３１〜３５を設けたものである。このために、この実施の形態に係る野球用スコアシート、野球用スコアブックは、投球の高低を１イニング毎に簡単にかつ迅速にかつ正確に記録することができ、これにより、各投手（特に相手校の投手）の投球の高低を高精度に分析できるデータの入手が容易になる。
【００８７】
この実施の形態に係る野球用スコアシート、野球用スコアブックは、９個の投球高低区別記録欄１１〜１５と、投球高低表示文字欄２１〜２５と、イラスト欄３と、分析用数値合計記入欄３１〜３５と、からなる１行の記録欄を、１ページ目（図１）に上下に５行設け、かつ、２ページ目（図２）に上下に４行設けたものである。このために、この実施の形態に係る野球用スコアシート、野球用スコアブックは、１試合における各投手（特に相手校の投手）の投球の高低を簡単にかつ迅速にかつ正確に記録し、従来の物では得られなかったデータを入手できる効用を生む。
【００８８】
この実施の形態に係る野球用スコアシート、野球用スコアブックは、１行の記録欄１１〜１５、２１〜２５、３、３１〜３５にカウント記入欄３０および打席結果欄３００を設けたものである。このために、この実施の形態に係る野球用スコアシート、野球用スコアブックは、１試合における投球の高低と各打者の打席成績とを記録することができ、これにより、投球の高低と打席成績との相対関係を分析することができる。
【００８９】
この実施の形態に係る野球用スコアシート、野球用スコアブックは、ストライク等投球記録段を、高ストライク等投球記録段１２と、中位ストライク等投球記録段１３と、低ストライク等投球記録段１４と、に上下３段に区分したものである。このために、この実施の形態に係る野球用スコアシート、野球用スコアブックは、さらに、投球の高低を簡単にかつ迅速にかつ正確に記録することができる。
【００９０】
特に、この実施の形態に係る野球用スコアシート、野球用スコアブックは、高度の技術で投球コースの偏りを克服するプロ野球には適しないが、高校野球、大学野球、社会人野球には最適である。
【００９１】
（その他の実施の形態の説明）
上述した実施の形態は、その要旨を逸脱しない限りにおいて、様々に変更が可能である。たとえば、上述の実施の形態においては、投球高低区別記録欄１１〜１５が、高ボール投球記録段１１と、高ストライク等投球記録段１２と、中位ストライク等投球記録段１３と、低ストライク等投球記録段１４と、低ボール投球記録段１５とに、上下に５段に区分されているものである。すなわち、投球高低区別記録欄１１〜１５が、高ボール投球記録段１１と、ストライク等投球記録段１２、１３、１４と、低ボール投球記録段１５とに、上下に３段に区分されていて、かつ、ストライク等投球記録段１２、１３、１４が、高ストライク等投球記録段１２と、中位ストライク等投球記録段１３と、低ストライク等投球記録段１４とに、上下に３段に区分されているものである。
【００９２】
ところが、本考案においては、投球高低区別記録欄が、上下に４段あるいは６段以上に区分されているものであっても良い。すなわち、投球高低区別記録欄が、高ボール投球記録段と、ストライク等投球記録段と、低ボール投球記録段とに、上下に３段に区分されていて、かつ、ストライク等投球記録段が、上下に２段あるいは４段以上に区分されているものであっても良い。この場合においては、より細かい分析が可能となる。
【００９３】
また、上述の実施の形態においては、上下５段の投球高低区別記録欄１１〜１５、投球高低表示文字欄２１〜２５および分析用数値合計記入欄３１〜３５が、その上下幅が均等もしくはほぼ均等になるように、区分されているものである。ところが、本考案においては、投球高低区別記録欄１１〜１５、投球高低表示文字欄２１〜２５および分析用数値合計記入欄３１〜３５の上下幅が均等でない場合でも良い。
【００９４】
さらに、各欄のレイアウトは、上述の実施の形態のレイアウト（たとえば、上下、左右の幅）に限定されない。
【符号の説明】
【００９５】
１１  高ボール投球記録段（投球高低区別記録欄）
１２  高ストライク等投球記録段（投球高低区別記録欄、ストライク等投球記録段）
１３  中位ストライク等投球記録段（投球高低区別記録欄、ストライク等投球記録段）
１４  低ストライク等投球記録段（投球高低区別記録欄、ストライク等投球記録段）
１５  低ボール投球記録段（投球高低区別記録欄）
２１〜２５  投球高低表示文字欄
３  イラスト欄
３０  カウント記入欄
３１  高ボール投球合計数記入段（分析用数値合計記入欄）
３２  高ストライク等投球合計数記入段（分析用数値合計記入欄）
３３  中ストライク等投球合計数記入段（分析用数値合計記入欄）
３４  低ストライク等投球合計数記入段（分析用数値合計記入欄）
３５  低ボール投球合計数記入段（分析用数値合計記入欄）
３６  打者数記入欄
３７  投球数記入欄
３８  平均投球数記入欄
４０  「打者名」欄
１００  「□イニング↓」欄
１０１  「□打席↓」欄
１０２  「スタメン」「交替丸１」「交替丸２」「交替丸３」欄
１０３  「打順→」「守備位置→」欄
３００  打席結果欄（打席結果記入欄）
３０１  イニング表示欄
３０２  打席表示欄
３０３  打席回数欄
３０４  イニング数表示欄
３０５  相手校の投手名欄
【図１】
0003206073.tif 000003
【図２】
0003206073.tif 000004
【図３】
0003206073.tif 000005
【図４】
0003206073.tif 000006
【図５】
0003206073.tif 000007
【図６】
0003206073.tif 000008
【図７】
0003206073.tif 000009
【図８】
0003206073.tif 000010
【図９】
0003206073.tif 000011
【図１０】
0003206073.tif 000012
【図１１】
0003206073.tif 000013
【手続補正書】
【提出日】平成28年6月24日(2016.6.24)
【手続補正１】
【補正対象書類名】実用新案登録請求の範囲
【補正対象項目名】全文
【補正方法】変更
【補正の内容】
【実用新案登録請求の範囲】
【請求項１】
１枚の用紙には、打者の打席毎に投手の投球の高低を投球毎に記録する投球高低区別記録欄が、設けられていて、
前記投球高低区別記録欄は、
ストライクゾーンよりも上方の投球を記録する高ボール投球記録段と、
ストライクゾーンを含む投球を記録するストライクを含む投球記録段と、
ストライクゾーンよりも下方の投球を記録する低ボール投球記録段と、
に上下３段に区分されていて、
前記ストライクを含む投球記録段は、少なくとも、
ストライクゾーンの上方部分を含む投球を記録する高ストライクを含む投球記録段と、
ストライクゾーンの下方部分を含む投球を記録する低ストライクを含む投球記録段と、
に上下２段に区分されている、
ことを特徴とする野球用スコアシート。
【請求項２】
前記投球高低区別記録欄の左側か右側かいずれか一方には、投球の高低を表わす文字や記号が付されている投球高低表示文字欄が、設けられていて、
前記投球高低表示文字欄は、少なくとも、
ストライクゾーンよりも上方の投球を表わす文字や記号が付されている段と、
ストライクゾーンの上方部分を含む投球を表わす文字や記号が付されている段と、
ストライクゾーンの下方部分を含む投球を表わす文字や記号が付されている段と、
ストライクゾーンよりも下方の投球を表わす文字や記号が付されている段と、
に前記投球高低区別記録欄の前記段に対応して上下に区分されている、
ことを特徴とする請求項１に記載の野球用スコアシート。
【請求項３】
前記投球高低表示文字欄のうち前記投球高低区別記録欄に対して反対側、前記投球高低区別記録欄のうち前記投球高低表示文字欄に対して反対側、前記投球高低区別記録欄と前記投球高低表示文字欄との間、のうち少なくとも１か所には、打者のイラストが付されているイラスト欄が、設けられている、
ことを特徴とする請求項２に記載の野球用スコアシート。
【請求項４】
左右に９個連続して設けられている前記投球高低区別記録欄の左側か右側か少なくともいずれか一方には、分析用に、投球の合計数を記入する分析用数値合計記入欄が、設けられていて、
前記分析用数値合計記入欄は、少なくとも、
前記高ボール投球記録段に記録されている投球の合計数を記入する高ボール投球合計数記入段と、
前記高ストライクを含む投球記録段に記録されている投球の合計数を記入する高ストライクを含む投球合計数記入段と、
前記低ストライクを含む投球記録段に記録されている投球の合計数を記入する低ストライクを含む投球合計数記入段と、
前記低ボール投球記録段に記録されている投球の合計数を記入する低ボール投球合計数記入段と、
に前記投球高低区別記録欄の前記段に対応して上下に区分されている、
ことを特徴とする請求項３に記載の野球用スコアシート。
【請求項５】
左右に９個連続して設けられている前記投球高低区別記録欄と、
前記投球高低区別記録欄の左側に設けられている前記投球高低表示文字欄と、
前記投球高低表示文字欄の左側に設けられている前記イラスト欄と、
前記投球高低区別記録欄の右側に設けられている前記分析用数値合計記入欄と、
からなる１行の記録欄であって、
前記記録欄は、用紙の一面に上下に５行設けられていて、かつ、前記用紙の他面あるいは他の用紙の一面に上下に４行設けられている、
ことを特徴とする請求項４に記載の野球用スコアシート。
【請求項６】
左右に９個連続して設けられている前記投球高低区別記録欄と、
前記投球高低区別記録欄の左側に設けられている前記投球高低表示文字欄と、
前記投球高低表示文字欄の左側に設けられている前記イラスト欄と、
前記投球高低区別記録欄の右側に設けられている前記分析用数値合計記入欄と、
前記投球高低区別記録欄の下側に設けられているカウント記入欄および打席結果欄と、
からなる１行の記録欄であって、
前記記録欄は、用紙の一面に上下に５行設けられていて、かつ、前記用紙の他面あるいは他の用紙の一面に上下に４行設けられている、
ことを特徴とする請求項４に記載の野球用スコアシート。
【請求項７】
前記ストライクを含む投球記録段は、
ストライクゾーンの上方部分を含む投球を記録する高ストライクを含む投球記録段と、
ストライクゾーンの中位部分を含む投球を記録する中位ストライクを含む投球記録段と、
ストライクゾーンの下方部分を含む投球を記録する低ストライクを含む投球記録段と、
に上下３段に区分されている、
ことを特徴とする請求項４〜６のいずれか１項に記載の野球用スコアシート。
【請求項８】
前記分析用数値合計記入欄は、
前記高ボール投球記録段に記録されている投球の合計数を記入する高ボール投球合計数記入段と、
前記高ストライクを含む投球記録段に記録されている投球の合計数を記入する高ストライクを含む投球合計数記入段と、
前記中位ストライクを含む投球記録段に記録されている投球の合計数を記入する中位ストライクを含む投球合計数記入段と、
前記低ストライクを含む投球記録段に記録されている投球の合計数を記入する低ストライクを含む投球合計数記入段と、
前記低ボール投球記録段に記録されている投球の合計数を記入する低ボール投球合計数記入段と、
に上下５段に区分されている、
ことを特徴とする請求項７に記載の野球用スコアシート。
【請求項９】
前記の請求項１〜８のいずれか１項に記載の野球用スコアシートの複数枚を１冊に啜り込んだ、
ことを特徴とする野球用スコアブック。
【手続補正２】
【補正対象書類名】明細書
【補正対象項目名】０００９
【補正方法】変更
【補正の内容】
【０００９】
本考案の野球用スコアシートは、１枚の用紙には、打者の打席毎に投手の投球の高低を投球毎に記録する投球高低区別記録欄が、設けられていて、投球高低区別記録欄が、ストライクゾーンよりも上方の投球を記録する高ボール投球記録段と、ストライクゾーンを含む投球を記録するストライクを含む（以下、単に「ストライク等」と称する）投球記録段と、ストライクゾーンよりも下方の投球を記録する低ボール投球記録段と、に上下３段に区分されていて、ストライク等投球記録段が、少なくとも、ストライクゾーンの上方部分を含む投球を記録する高ストライク等投球記録段と、ストライクゾーンの下方部分を含む投球を記録する低ストライク等投球記録段と、に上下２段に区分されている、ことを特徴とするものである。
【手続補正３】
【補正対象書類名】明細書
【補正対象項目名】００１０
【補正方法】変更
【補正の内容】
【００１０】
また、本考案の野球用スコアシートは、投球高低区別記録欄の左側か右側かいずれか一方には、投球の高低を表わす文字や記号（以下、「記号等」と称する）が付されている投球高低表示文字欄が、設けられていて、投球高低表示文字欄が、少なくとも、ストライクゾーンよりも上方の投球（ボール）を表わす文字や記号等が付されている段と、ストライクゾーンの上方部分を含む投球を表わす文字や記号等が付されている段と、ストライクゾーンの下方部分を含む投球を表わす文字や記号等が付されている段と、ストライクゾーンよりも下方の投球（ボール）を表わす文字や記号等が付されている段と、に投球高低区別記録欄の段に対応して上下に区分されている、ことを特徴とするものである。